(57)【要約】【課題】小型の透過原稿照明ユニットの光源面端部の角が原稿フィルムに接触して、傷をつけることを防止する。【解決手段】フィルムと透過原稿照明ユニットを収納する透過原稿ホルダーの穴の縁の上部に対応する位置に、穴の縁よりも横に突出した部分を透過原稿照明ユニットに設ける。透過原稿照明ユニットを斜めに挿入した時には、突出部が穴の縁の上に接触し、光源面端部の角がフィルムには接触しない。【選択図】      図５
2004363895.tif 000002
【特許請求の範囲】
【請求項１】
原稿を載置するための透明原稿台と、透過原稿を前記透明原稿台の所定位置に載置するための透過原稿ホルダーと、前記透過原稿ホルダーに装着し前記透過原稿を照明するための面光源を有する透過原稿照明ユニットと、前記透過原稿照明ユニットにより照射された透過原稿の画像を前記透明原稿台を介して読み取るための画像読み取りユニットとを有する画像読取装置において、
前記透過原稿ホルダーには前記透過原稿と前記透明原稿照明ユニットの面光源とを収容する穴を有し、
前記透過原稿照明ユニットは前記透過原稿ホルダーの穴に嵌め込まれることにより位置決めされ、
前記透過原稿照明ユニットの前記透過原稿ホルダーへの位置決め後は前記穴の縁より上方に位置する部分は、透明原稿台と平行な方向に突出部を有し、前記透過原稿ホルダーの前記穴に嵌め込まれる部分の大きさよりも大きく、
前記透過原稿照明ユニットを、面光源を有する面が前記透明原稿台と平行でない角度で前記透過原稿ホルダーの穴に挿入した時に、先ず前記透過原稿照明ユニットの前記突出部が前記透過原稿ホルダーの前記穴の縁に接触することを特徴とする画像読取装置。
【請求項２】
前記突出部は、前記面光源に電源を供給するケーブルであることを特徴とする請求項１に記載の画像読取装置。
【請求項３】
画像読取装置の透明原稿台の上に載置し、透過原稿の位置決めをする透過原稿ホルダーと、前記透過原稿ホルダーに装着し、前記透過原稿を照明するための面光源を有する透過原稿照明ユニットとを有する透過原稿照明装置において、
前記透過原稿ホルダーには前記透過原稿と前記透明原稿照射ユニットの面光源とを収容する穴を有し、
前記透過原稿照明ユニットは前記透過原稿ホルダーの穴に嵌め込まれることにより位置決めされ、
前記透過原稿照明ユニットの前記透過原稿ホルダーへの位置決め後は前記穴の縁より上方に位置する部分は、透明原稿台と平行な方向に突出部を有し、前記透過原稿ホルダーの前記穴に嵌め込まれる部分の大きさよりも大きく、
前記透過原稿照明ユニットを、面光源を有する面が前記透明原稿台と平行でない角度で前記透過原稿ホルダーの穴に挿入した時に、先ず前記透過原稿照明ユニットの前記突出部が前記透過原稿ホルダーの前記穴の縁に接触することを特徴とする透過原稿照明装置。
【発明の詳細な説明】
【０００１】
【発明の属する技術分野】
本発明は、透明原稿台上の透過原稿フィルムを透過原稿照明ユニットで照射して、照射された画像を透明原稿台を介して読取センサーにて読取る画像読取装置および照明装置に関するものである。
【０００２】
【従来の技術】
従来、透過原稿を読み取る画像読取装置には、縮小光学系の結像レンズにて結像された画像をＣＣＤ画像読取素子を用いて読取るものが多く、結像レンズの被写界深度が深かった。このため、透明原稿台から透過原稿フィルムが多少離れていても問題なくフィルムを読取ることができ、透明原稿フィルムの端部を上下方向から押さえ込むフィルムホルダーを透明原稿台に載置して読取を行っていた。この場合、圧板に内蔵された光源を用いて透過原稿フィルムを照明する構成であり、透過原稿フィルムに面光源が接触することはなかった（特許文献１参照）。また、小型の光源を用いる場合でも、透過原稿フィルムと光源との不用意な接触に関しては考慮されていなかった（特許文献２参照）。
【０００３】
【特許文献１】
特開２０００−３５８１３２号公報（図１、図４）
【特許文献２】
特開２００３−００８８３５号公報（第３３段落、図１、図６）
【０００４】
【発明が解決しようとする課題】
しかしながら、近年、装置の薄型小型化省電力化を目的として、ロッドレンズアレーの様な等倍の結像レンズを有する原稿台密着型読取りセンサーを用いた画像読取装置がある。このような装置に透過原稿照明ユニットを搭載してフィルムを読取ろうとすると、結像レンズの被写界深度が浅いため、フィルムホルダーでフィルムの上下を押さえ込むことができず、透明原稿台ガラスに直接フィルムを置くことになる。その上に透過原稿照明ユニットを配置することになるが、装置の省電力化に際し、透過原稿フィルムの１コマ分程度の大きさの小型面光源を用いた透過原稿照明ユニットを使用することがある。この場合、面光源部分がフィルムと平行になるように注意して設置しないと、透過原稿照明ユニットの端部の角がフィルムに接触してフィルムを傷つけてしまうことがあった。
【０００５】
【課題を解決するための手段】
本発明は、上記課題を解決するためになされたものであり、以下の構成を有する。
１、原稿を載置するための透明原稿台と、透過原稿を前記透明原稿台の所定位置に載置するための透過原稿ホルダーと、前記透過原稿ホルダーに装着し前記透過原稿を照明するための面光源を有する透過原稿照明ユニットと、前記透過原稿照明ユニットにより照射された透過原稿の画像を前記透明原稿台を介して読み取るための画像読み取りユニットとを有する画像読取装置において、前記透過原稿ホルダーには前記透過原稿と前記透明原稿照明ユニットの面光源とを収容する穴を有し、前記透過原稿照明ユニットは前記透過原稿ホルダーの穴に嵌め込まれることにより位置決めされ、前記透過原稿照明ユニットの前記透過原稿ホルダーへの位置決め後は前記穴の縁より上方に位置する部分は、透明原稿台と平行な方向に突出部を有し、前記透過原稿ホルダーの前記穴に嵌め込まれる部分の大きさよりも大きく、前記透過原稿照明ユニットを、面光源を有する面が前記透明原稿台と平行でない角度で前記透過原稿ホルダーの穴に挿入した時に、先ず前記透過原稿照明ユニットの前記突出部が前記透過原稿ホルダーの前記穴の縁に接触することを特徴とする画像読取装置。
２、前記突出部は、前記面光源に電源を供給するケーブルであることを特徴とする１に記載の画像読取装置。
３、画像読取装置の透明原稿台の上に載置し、透過原稿の位置決めをする透過原稿ホルダーと、前記透過原稿ホルダーに装着し、前記透過原稿を照明するための面光源を有する透過原稿照明ユニットとを有する透過原稿照明装置において、前記透過原稿ホルダーには前記透過原稿と前記透明原稿照射ユニットの面光源とを収容する穴を有し、前記透過原稿照明ユニットは前記透過原稿ホルダーの穴に嵌め込まれることにより位置決めされ、前記透過原稿照明ユニットの前記透過原稿ホルダーへの位置決め後は前記穴の縁より上方に位置する部分は、透明原稿台と平行な方向に突出部を有し、前記透過原稿ホルダーの前記穴に嵌め込まれる部分の大きさよりも大きく、前記透過原稿照明ユニットを、面光源を有する面が前記透明原稿台と平行でない角度で前記透過原稿ホルダーの穴に挿入した時に、先ず前記透過原稿照明ユニットの前記突出部が前記透過原稿ホルダーの前記穴の縁に接触することを特徴とする透過原稿照明装置。
【０００６】
以上の構成とすることで、透過原稿照明ユニットをフィルムホルダーに装着するときに、光源面の端部がフィルムに接触して傷をつけるのを防止することができ、また、照明電源用のケーブルを上記の構成の突出部に兼ねることができる。
【０００７】
【発明の実施の形態】
以下に、図面に基づいて本発明を適用した実施形態を詳細に説明する。
【０００８】
図８は本発明の実施形態における、画像読取装置本体を示す図であり、１００は画像読取装置本体、１０１はベースフレーム、１０２は原稿台ガラス、１０３，１０４はガラス取付フレーム、１１０は原稿台密着型センサー、１２０は圧板、１２１は圧板のヒンジであり、反射原稿読取モードと透過原稿読取モードを切り替えて使用できる。
【０００９】
反射原稿読取モードの時は、ユーザーは、原稿台ガラス１０２の上に原稿を置き、圧板１２０を閉める。パソコン（図示せず）のスタートボタンを押すと、原稿台密着型センサー１１０は内蔵したＲ，Ｇ，ＢのＬＥＤを点灯させながら矢印Ａの方向に移動して、反射された画像を内蔵した光電変換素子アレイで読取り、電気信号に変換し、パソコンに転送する。
【００１０】
次に、透過原稿読取モードの時を、図１から図６に順に説明する。
【００１１】
図１は、本発明の画像読取装置にて透過原稿を読取る場合の斜視図であり、１はフィルムホルダーで、原稿台ガラス１０２の上に設置し、フィルムＦをその中に位置決めする穴１ｃを有する。２は透過原稿照明ユニットで、フィルムホルダーに位置決めされたフィルムＦの上で、フィルムホルダーの穴１ｃに装着する。
【００１２】
図２は、画像読取装置本体１００にフィルムホルダー１を装着する図である。ユーザーはフィルムホルダーに形成されている爪１ａ，１ｂをガラス取付フレームの窪み１０３ａ，１０３ｂに嵌め込み、画像読取装置本体１００に対して原稿台ガラスに平行な方向で位置決めする。フィルムホルダー１は、原稿台ガラス１０２に自重で乗ることにより、上下方向は位置決めされる。
【００１３】
図３は、透過原稿照明ユニット２の展開図である。４は、面光源体であり、ＲＧＢおよび赤外のＬＥＤを内蔵している。ＬＥＤの端子４ａ，４ｂ・・・は、基板５のパターンに半田付けされ、基板５上のコネクタ５ａにつながっている。基板５は、面光源体４の爪部４ｈにより、固定されている。面光源体４は、基台６に挿入され、固定されている。ケーブル３のコネクタ部３ａは、基板上のコネクタ５ａに嵌め込まれ、カバー７は、基台６に、ビス８で固定されている。
【００１４】
ユーザーは、前述のようにフィルムホルダー１を画像読取装置本体１００に位置決めした後、図１に示すようにフィルムＦをフィルムホルダー１の穴部１ｃに挿入し、位置決め指標１ｄにフィルムのコマをあわせて位置決めする。透過原稿照明ユニット２のケーブル３を、図２に示す画像読取装置本体１００のコネクタ１０１ａに接続する。次に、ユーザーは、図４に示すように（突出部６ｇ省略）、透過原稿照明ユニット２の基台６の突出部６ａ、６ｂ、６ｃをフィルムガイドの凹み部１ａ、１ｂ、１ｃに嵌め込む。図５は、フィルム短手方向の断面で、図５に示すように、ユーザーが透過原稿照明ユニット２を斜めに挿入すると、基台６の突出部６ｇがフィルムホルダー１の上面に突き当たり、面光源４の端部がフィルムＦにあたる前に停止する。このため、ユーザーがあやまって透過原稿照明ユニットを斜めに挿入しても、面光源の端部でフィルムを傷つけることはない。突出部は両側についているので、逆方向に傾けた時でも対向側の突出があるので同様の効果がある。ユーザーは、透過原稿照明ユニットの面光源を原稿台ガラスに平行な状態にしてフィルムホルダー１を挿入し直し、透過原稿照明ユニットは図６に示すように、正規位置に位置決めされる。
【００１５】
ユーザーがパソコン上のスタートボタンを押すと、図１に示すように、画像読取装置本体１００に内蔵された原稿台密着型センサー１１０は点灯せずに矢印Ａの方向に走査し、面光源４はＲＧＢのＬＥＤがセンサー１１０の走査に同期して順次点灯し、面光源４により照射された画像を読取り、パソコンに転送する。
【００１６】
（他の実施例）
図７には、透過原稿照明ユニットの突出部の片側を画像読取装置本体に接続するケーブルで兼用する実施態様を示す。ケーブル側を下にして斜めに挿入すると、ケーブルがフィルムホルダーの上面にあたり、面光源の端部がフィルムに当たるのを防ぐことができ、フィルムに傷がつくのを防止できる。
【００１７】
【発明の効果】
以上説明したように本発明によれば、フィルムと透過原稿照明ユニットを収納する透過原稿ホルダーの穴の縁の上部に対応する位置に、穴の縁よりも横に突出した部分を透過原稿照明ユニットに設けたので、透過原稿照明ユニットを斜めに挿入しようとしたときには、突出部が透過原稿ホルダーに接触して、面光源端部の角がフィルムに接触するのを防ぐことができる。このため、不注意でフィルムに傷がつくのを避けることができる。
【図面の簡単な説明】
【図１】本発明の透過原稿読取りの斜視図
【図２】画像読取装置本体に透過原稿ホルダーを嵌め込む図
【図３】透過原稿照明ユニットの詳細図
【図４】透過原稿ホルダーに透過原稿照明ユニットを嵌め込む図
【図５】透過原稿照明ユニットを透過原稿ホルダーに斜めに挿入する図
【図６】透過原稿照明ユニットが正しい位置に設置された図
【図７】他の実施例
【図８】画像読取装置本体の図
【符号の説明】
１  フィルムホルダー
２  透過原稿照明ユニット
３  ケーブル
４  面光源体
５  基板
６  基台
７  カバー
１００  画像読取装置本体
１０１  ベースフレーム
１０２  原稿台ガラス
１０３  ガラス取付フレーム
１１０  原稿台密着型センサー
１２０  圧板
１２１  ヒンジ
【図１】
2004363895.tif 000003
【図２】
2004363895.tif 000004
【図３】
2004363895.tif 000005
【図４】
2004363895.tif 000006
【図５】
2004363895.tif 000007
【図６】
2004363895.tif 000008
【図７】
2004363895.tif 000009
【図８】
2004363895.tif 000010